(57)【要約】【課題】美容室や理容室等の専門店で上手に髪型をアレンジしてもらった後、その状態を長時間維持することができ、また、髪を洗った後も専門店でアレンジしてもらったときと同じように自分自身で再度髪型をセットできる、ヘアスタイルのアレンジ方法を提供する。【解決手段】Ｃチップ１をペンチ２で挟持する工程と、髪の毛を束にしてＣチップ１内に入れる工程と、Ｃチップ１が束にした髪の毛を挟持するようにＣチップ１をペンチ２で変形させる工程とを備える。【選択図】  図１
2004267645.tif 000002
【特許請求の範囲】
【請求項１】
Ｃチップをペンチで挟持する工程と、髪の毛を束にして前記Ｃチップ内に入れる工程と、前記Ｃチップが前記束にした髪の毛を挟持するように前記Ｃチップを前記ペンチで変形させる工程と、を備えたことを特徴とするヘアスタイルのアレンジ方法。
【請求項２】
前記髪の毛を束にしてＣチップ内に入れる工程の後、エクステンションを前記Ｃチップ内に入れる工程を備え、前記束にした髪の毛及び前記エクステンションを挟持するように前記Ｃチップをペンチで変形させて前記エクステンションを取り付けることを特徴とする請求項１に記載のヘアスタイルのアレンジ方法。
【発明の詳細な説明】
【０００１】
【発明の属する技術分野】
本発明は、整髪料を使わないで簡単にヘアスタイルのアレンジができる方法に関する。
【０００２】
【従来の技術】
従来周知のようにヘアスタイルのアレンジには整髪料が使用されている。整髪料には、ヘアワックス、ヘアフォーム（ムース）、スプレー、ミスト、スタイリングウォーター、ジェル・・・等、数多くの製品がある。この中でも特にヘアワックスは人気が高い商品である。これは若者の間では最近無造作ヘアが流行しており、無造作ヘアを作るにはヘアワックスが最も適しているためであると考えられる。ヘアワックスは、適量を手のひらに取り、指の間までよくのばしてから、髪全体にもみこむようになじませて使用するものであり、毛先に動きのある無造作ヘアを作るには、毛先を摘んだりねじったりすることで作ることができる。
【０００３】
美容室や理容室等（以下、専門店と呼ぶ）の専門的に髪を切る場所でも、仕上げには上記に示した整髪料を使用してカットした髪型をアレンジしている。
【０００４】
【発明が解決しようとする課題】
しかしながら、専門店で上手に髪型をアレンジしてもらっても、その状態は長く続かず、再度髪型を同じようにするには自分自身で整髪料を使用してセットする必要がある。しかし、素人では専門店でセットしたときほどは、上手に髪型をセットすることはできない。つまり、整髪料でアレンジされる髪型は長時間維持することはできず、髪を洗えば元の髪型に戻ってしまうという問題がある。
【０００５】
本発明は、専門店で上手に髪型をアレンジしてもらった後、その状態を長時間維持することができ、また、髪を洗った後も専門店でアレンジしてもらったときと同じように自分自身で再度髪型をセットできる、ヘアスタイルのアレンジ方法を提供することを目的とする。
【０００６】
【課題を解決するための手段】
本発明の請求項１に記載のヘアスタイルのアレンジ方法は、Ｃチップをペンチで挟持する工程と、髪の毛を束にして前記Ｃチップ内に入れる工程と、前記Ｃチップが前記束にした髪の毛を挟持するように前記Ｃチップを前記ペンチで変形させる工程と、を備えたものである。これにより、専門店で上手に髪型をアレンジしてもらった後、その状態を長時間維持でき、また、髪を洗ってもＣチップによりくせづけされているので、再度髪型をセットする際には、整髪料を使用しなくても、専門店でアレンジしてもらったときと同じように、自分自身で髪型を上手にセットすることができる。
【０００７】
また、本発明の請求項２に記載のヘアスタイルのアレンジ方法は、髪の毛を束にしてＣチップ内に入れる工程の後、エクステンションを前記Ｃチップ内に入れる工程を備え、前記束にした髪の毛及び前記エクステンションを挟持するように前記Ｃチップをペンチで変形させて前記エクステンションを取り付けるものである。これにより、上記ヘアスタイルのアレンジ方法をエクステンションの取り付けにも応用でき、エクステンションを簡単に手際良く取り付けることができる。
【０００８】
【発明の実施の形態】
（実施の形態１）
以下、本発明の第１の実施の形態について図１を用いて説明する。１はＣチップであり、Ｃチップ１はスタニウム製である。スタニウムは変形させるのが容易で、かつ形状記憶力も高い金属である。また、アレルギー反応の最も低い金属の一つであるという特徴も備えている。これにより、Ｃチップ１の髪への取り付け及び取り外しを容易に行うことができ、また、Ｃチップ１が頭皮に接触しても、使用者が金属アレルギーの反応を起こす心配はない。２はペンチはであり、ペンチ２は、把持部２１を操作することで挟持部２２で物を挟持できる一般的なものを用いる。図において、挟持部２２はＣチップ１を挟持して変形させるために、ノコギリの刃のようなきざみ目のある平らな面で形成しているが、この箇所に左右対称の小さな溝（図示しない）を形成することで、把持部２１を強く握ってもＣチップ１が必要以上に潰れないようにすることもできる。
【０００９】
Ｃチップ１の髪への取り付けはペンチ２を使用することにより行い、以下に記す動作を行ってヘアスタイルをセットしていく。はじめに使用者はペンチ２の把持部２１を操作して挟持部２２でＣチップ１を１個挟持する（ＳＴＥＰ１）（図２（ａ））。つづいて、Ｃチップ１内に入る程度の髪の毛を束にしてＣチップ１内に入れ（ＳＴＥＰ２）（図２（ｂ））、束にした髪の毛をＣチップ１が挟持できるように、ペンチ２の把持部２１を操作してＣチップ１を変形させる（ＳＴＥＰ３）（図２（ｃ））。これにより、Ｃチップ１の髪への取り付けが１箇所完了し（図２（ｄ））、他のＣチップ１にも上記ＳＴＥＰ１〜３を行い、好みのヘアスタイルになるようにセットしていく（図２（ｅ））。ヘアスタイルとしては、無造作ヘアはもちろんあらゆる髪型をアレンジすることができる。また、パーマをあてた後に上記ＳＴＥＰ１〜３を行うことでくせ付けを強化することもできる。
【００１０】
以上、本実施の形態によれば、上記ＳＴＥＰ１〜３の工程を行って専門店で上手に髪型をアレンジしてもらった後は、その状態を長時間にわたって維持でき、また、髪を洗ってもＣチップ１によりくせづけされているので、再度髪型をセットする際には、整髪料を使用しなくても、専門店でアレンジしてもらったときと同じように、自分自身で髪型を上手にセットすることができる。
【００１１】
なお、束にした髪の毛を挟持しているＣチップ１の取り外しは、Ｃチップ１の形状を復元するようにペンチ２の把持部２１を操作することにより、簡単に取り外すことができる。
【００１２】
（実施の形態２）
以下、本発明の第２の実施の形態について図２を用いて説明する。本実施の形態は、第１の実施の形態のヘアスタイルのアレンジ方法をエクステンションの取り付けに応用したものである。１はＣチップであり、Ｃチップ１はスタニウム製である。スタニウムは変形させるのが容易で、かつ形状記憶力も高い金属である。また、アレルギー反応の最も低い金属の一つであるという特徴も備えている。これにより、Ｃチップ１の髪への取り付け及び取り外しを容易に行うことができ、また、Ｃチップ１が頭皮に接触しても、使用者が金属アレルギーの反応を起こす心配はない。２はペンチはであり、ペンチ２は、把持部２１を操作することで挟持部２２で物を挟持できる一般的なものを用いる。図において、挟持部２２はＣチップ１を挟持して変形させるために、ノコギリの刃のようなきざみ目のある平らな面で形成しているが、この箇所に左右対称の小さな溝（図示しない）を形成することで、把持部２１を強く握ってもＣチップ１が必要以上に潰れないようにすることもできる。また、３はエクステンション、いわゆる付け毛であり、人の髪の毛で作った人毛や、合成繊維で作った人工毛を用いる。エクステンションにはアフロやドレッド、ブレイズ・・・等様々な種類があり、ヒッピー系、ギャル系・・・等様々なスタイルに合わせてアレンジは自由自在にできる。
【００１３】
Ｃチップ１及びエクステンション３の髪への取り付けはペンチ２を使用することにより行い、以下に記す動作を行ってヘアスタイルをセットしていく。はじめに使用者はペンチ２の把持部２１を操作して挟持部２２でＣチップ１を１個挟持する（ＳＴＥＰ１）（図４（ａ））。つづいて、Ｃチップ１内に入る程度の髪の毛を束にしてＣチップ１内に入れ（ＳＴＥＰ２）、エクステンション３もＣチップ１内に入れる（図４（ｂ））（ＳＴＥＰ３）。そして、束にした髪の毛をＣチップ１が挟持できるように、ペンチ２の把持部２１を操作してＣチップ１を変形させる（図４（ｃ））（ＳＴＥＰ４）。これにより、Ｃチップ１及びエクステンション３の髪への取り付けが１箇所完了し（図４（ｄ））、他のＣチップ１にも上記ＳＴＥＰ１〜４を行い、好みのヘアスタイルになるようにエクステンション３をセットしていく（図４（ｅ））。
【００１４】
以上、本実施の形態によれば、上記ＳＴＥＰ１〜４の工程を行うことにより、従来エクステンションを取り付ける際に使用していたグルーボンド、糸ゴム、ドライヤー及びアイロン等の専用器具を使わず、また、エクステンションを取り付ける際に行っていた編み込みの工程を行わずに、簡単に手際良く取り付けることができる。また、今まで装着困難であったトップ、フロントフェイスラインなどにもエクステンションの装着を容易に行うことができる。
【００１５】
なお、エクステンション及びＣチップの取り外しは、Ｃチップの形状を復元するようにペンチを扱うことにより、簡単に取り外すことができる。
【００１６】
また、本実施の形態では、専門店で行うことを想定したが、素人でも一人で簡単にエクステンションの取り付け及び取り外しを行うことができる。また、Ｃチップ１はスタニウム製が望ましいが、変形させるのが容易で、かつ形状記憶力も高い材質であれば適宜に選択可能である。
【００１７】
【発明の効果】
以上、本発明のヘアスタイルのアレンジ方法によれば、専門店で上手に髪型をアレンジしてもらった後、その状態を長時間にわたって維持でき、また、髪を洗ってもＣチップによりくせづけされているので、再度髪型をセットする際には、整髪料を使用しなくても、専門店でアレンジしてもらったときと同じように、自分自身で髪型を上手にセットすることができる。
【００１８】
また、本発明の上記ヘアスタイルのアレンジ方法は、エクステンションの取り付けにも応用でき、髪の毛を束にしてＣチップ内に入れた後、エクステンションをＣチップ内に入れて、束にした髪の毛及びエクステンションを挟持するようにＣチップをペンチで変形させることにより、従来エクステンションを取り付ける際に使用していたグルーボンド、糸ゴム、ドライヤー及びアイロン等の専用器具を使わず、また、エクステンションを取り付ける際に行っていた編み込みの工程を行わずに、簡単に手際良く取り付けることができる。
【図面の簡単な説明】
【図１】本発明の第１の実施の形態で用いる各器具を示す全体斜視図
【図２】図１で示す各器具を用いてヘアスタイルを作っていく動作を説明する工程図
【図３】本発明の第２の実施の形態で用いる各器具を示す全体斜視図
【図４】図３で示す各器具を用いてヘアスタイルを作っていく動作を説明する工程図
【符号の説明】
１  Ｃチップ
２  ペンチ
２１  把持部
２２  挟持部
３  エクステンション
【図１】
2004267645.tif 000003
【図２】
2004267645.tif 000004
【図３】
2004267645.tif 000005
【図４】
2004267645.tif 000006